(57)【要約】【課題】カメラ付き携帯電話機のレンズを確実に保護する【解決手段】受話器本体と送話器本体を携帯時の不使用位置から通話可能な使用位置に開くと、この開く操作に連動して第一ヒンジ部１６ｂに設けられたワイヤリール４５に巻き付いていたワイヤ４３が解かれる。すると、レンズバリア４０をヒンジ部方向に引っ張っていた張力が無くなるので、レンズバリア４０はネジリバネ４１の付勢力によって軸４７を中心に時計方向へ回動する。レンズバリア４０はレンズ用開口部３５からレンズが露呈する開き位置まで回動して、マイクロスイッチ４６の切片４６ａを押圧してカメラ付き携帯電話機に内蔵されているデジタルカメラの電源をオンにする。【選択図】        図４
2004221755.tif 000002
【特許請求の範囲】
【請求項１】
デジタルカメラを内蔵し、受話器本体と送話器本体とが使用位置と不使用位置との間で可動に連結されたカメラ付き携帯電話機において、
前記デジタルカメラのレンズを覆う閉じ位置とレンズを露呈させる開き位置との間で移動自在なレンズバリアと、受話器本体と送話器本体とが使用位置に移動したときにレンズバリアを開き位置に移動させ、受話器本体と送話器本体とが不使用位置に移動したときにレンズバリアを閉じ位置に移動させるバリア移動機構とを有することを特徴とするカメラ付き携帯電話機。
【請求項２】
前記バリア移動機構は、受話器本体と送話器本体との間の機械的な移動に連動してレンズバリアを開閉させることを特徴とする請求項１記載のカメラ付き携帯電話機。
【請求項３】
レンズバリアが開き位置に移動したことを検知してデジタルカメラの電源をオンさせるセンサを設けたことを特徴とする請求項１または２記載のカメラ付き携帯電話機。
【発明の詳細な説明】
【０００１】
【発明の属する技術分野】
本発明は、カメラ付き携帯電話機のカメラのレンズを保護するレンズバリアに関するものである。
【０００２】
【従来の技術】
高機能が付加された携帯電話機が多数販売されている。なかでも、デジタルカメラを内蔵したカメラ付き携帯電話機が近年急速に普及している。このカメラ付き携帯電話機には、音声通話機能の他に電子メイルの送受信、インターネット接続や携帯電話に内蔵されてるデジタルカメラで撮影した画像データを送信するデータ通信機能が備えられている。カメラ付き携帯電話機の液晶画面は、データ通信した多くの情報を表示するとともに、内蔵されているデジタルカメラで撮影する際に撮影画像を確認するためのビューファインダとして使用される。そのため、携帯電話の液晶画面の大型化が望まれるが、液晶画面を大型化すると携帯電話本体も大型化してしまう。そのため、液晶画面を大型化し、かつ携帯電話本体を小型化するために、液晶画面と受話用のスピーカを設けた受話器本体と、操作ボタンとマイクを設けた送話器本体とをヒンジ部で折り畳み可能に連結した携帯電話機が多数販売されている。
【０００３】
レンズバリアに関する従来技術としては、カメラ付き携帯電話機にカメラのレンズを保護するレンズバリアを設け、ユーザが手動でレンズバリアの開閉操作を行い、レンズにほこり、汚れ、傷等が付かないようにレンズを保護することが記載されている（例えば、特許文献１参照）。
【０００４】
【特許文献１】
特開２００１−３０９００３号公報
【０００５】
【発明が解決しようとする課題】
しかしながら、特許文献１記載のように、撮影時にその都度レンズバリアを手動で開閉させる操作は煩わしい。更に、撮影終了後にレンズバリアを閉め忘れることもあるので、確実にレンズを保護することができない。
【０００６】
本発明は、上記問題点を解決するためになされたものであり、カメラ付き携帯電話機のレンズを保護するレンズバリアを開閉する手間を省き、レンズバリアの開閉操作の忘れを防止するカメラ付き携帯電話機を提供することを目的とする。
【０００７】
【課題を解決するための手段】
デジタルカメラを内蔵し、受話器本体と送話器本体とが使用位置と不使用位置との間で可動に連結されたカメラ付き携帯電話機において、デジタルカメラのレンズを覆う閉じ位置とレンズを露呈させる開き位置との間で移動自在なレンズバリアと、受話器本体と送話器本体とが使用位置に移動したときにレンズバリアを開き位置に移動させ、受話器本体と送話器本体とが不使用位置に移動したときにレンズバリアを閉じ位置に移動させるレンズバリア移動機構とを有するものである。
【０００８】
バリア移動機構は、受話器本体と送話器本体との間の機械的な移動に連動してレンズバリアを開閉させるものである。
【０００９】
レンズバリアが開き位置に移動したことを検知してデジタルカメラの電源をオンさせるセンサを設けたものである。
【００１０】
【発明の実施の形態】
図１は、本発明を実施したカメラ付き携帯電話機を使用位置に開いた外観斜視図である。カメラ付き携帯電話機２は、受話スピーカ１０が備えられた受話器本体１１と送話マイク１３が備えられた送話器本体１５とがヒンジ部１６によって、折り畳み自在に連結されており、ヒンジ部１６は、受話器本体１１に設けられた第一ヒンジ部１６ａと送話器本体１５に設けられた第二ヒンジ部１６ｂによって構成されている。カメラ付き携帯電話機２で通話を行う際には、受話器本体１１の受話スピーカ１０がユーザの耳へ、送話器本体１５の送話マイク１３が口の近傍へ配置されるように受話器本体１１と送話器本体１５を通話可能な使用位置まで開く。
【００１１】
送話器本体１５は、正面カバー２７、背面カバー２８、送話マイク１３、操作部２９などから構成されており、背面カバー２８には電源電池（図示せず）が備えられている。正面カバー２７と背面カバー２８の間には、カメラ付き携帯電話機２を構成する各種電子部品が回路基板に実装されて備えられている。操作部２９には、カメラ付き携帯電話機２の電源をオン、オフさせる電源ボタンやダイヤルボタン、メニューボタンなどの各種操作ボタンが設けられている。
【００１２】
受話器本体１１は、正面カバー３０、背面カバー３１、受話スピーカ１０、液晶画面３３などから構成されており、背面カバー３１にはデジタルカメラのレンズを露呈させるレンズ用開口部、伸縮自在なアンテナ１７などが備えられている。受話器本体１１も送話器本体１５と同様に、正面カバー３０と背面カバー３１の間にはカメラ付き携帯電話機２を構成する電子部品が実装された回路基板が備えられている。受話器本体１１内と送話器本体１５内に備えられた回路基板は、ヒンジ部１６を介してフレキシブルケーブルによって電気的に接続されている。液晶画面３３は、文字や画像等の通信情報を表示させるとともに、内蔵しているデジタルカメラで撮影操作を行う際には、撮影画像を確認するビューファインダとしても使用する。
【００１３】
図２に示すように、カメラ付き携帯電話機２を携帯する時や不使用時には、受話器本体１１の正面カバー３０と送話器本体１５の正面カバー２７とが対面するように受話器本体１１と送話器本体１５をヒンジ部１６を介して不使用位置に折り畳んで携帯する。
【００１４】
受話器本体１１の背面カバー３１には、内蔵されたデジタルカメラのレンズを露呈させるレンズ用開口部３５が設けてある。このレンズ用開口部３５には、カメラのレンズを保護するためのレンズバリア４０が設けられている。図３にも示すように、レンズバリア４０は受話器本体１１の背面カバー３１とレンズ５０の間に設けられており、レンズ５０の後には回路基板５１に実装されたＣＣＤイメージセンサ５２が配置されている。また、レンズ用開口部３５の下側にはマイクロスイッチ４６が備えられている。マイクロスイッチ４６はカメラ付き携帯電話機２に内蔵されたデジタルカメラの電源のオン、オフを行う。カメラ付き携帯電話機２に内蔵されているデジタルカメラで撮影操作を行う際には、受話器本体１１と送話器本体１５を使用位置に開いて、受話器本体１１の背面カバー３１に設けられたレンズ用開口部３５から露呈させたレンズ５０を被写体に向けて、液晶画面３３で撮影画像を確認しながら撮影操作を行う。
【００１５】
図４に示すように、カメラ付き携帯電話機２は、受話器本体１１と送話器本体１５を使用位置と不使用位置に開閉させる開閉操作に連動させて、レンズバリア４０をレンズが露呈する開き位置とレンズを覆う閉じ位置へ移動させるバリア移動機構を備えている。バリア移動機構は、レンズバリア４０、ネジリバネ４１、ストッパ４２、ワイヤ４３、ワイヤリール４５、マイクロスイッチ４６によって構成されている。
【００１６】
レンズバリア４０は、レンズ用開口部３５よりも一回り大きな円板部４０ａと円板部４０ａに連接されたアーム部４０ｂによって一体に形成されている。レンズバリア４０は受話器本体１１の背面カバー３１の内側に一体に形成された軸４７に回動自在に嵌め込まれている。レンズバリア４０から突出した軸４７には、ネジリバネ４１が備えられ、ネジリバネ４１の一方の端部はレンズバリア４０の縁部に掛止しており、他方の端部は背面カバー３１に形成された突起部４８に掛止している。そのため、ネジリバネ４１は軸４７を中心にレンズバリア４０を時計方向へ回転させるように付勢している。
【００１７】
アーム部４０ｂの端部にはワイヤ４３の一方の端部が接続されている。ワイヤ４３は受話器本体１１の長手方向に沿って配置されている。ワイヤ４３の他方の端部は、受話器本体１１に設けられた第一ヒンジ部１６ａの内部と受話器本体１１内とを繋いでいる開口部４９を通って、第一ヒンジ部１６ａ内で送話器本体１５の第二ヒンジ部１６ｂに設けられたワイヤリール４５に接続されている。
【００１８】
ワイヤリール４５は、第二ヒンジ部１６ｂに設けられたリール受穴１８に一定のフリクションを有して狭持されている。そのため、受話器本体１１と送話器本体１５が使用位置と不使用位置に開閉する際に、ワイヤリール４５に一定以上の負荷がかかるとワイヤリール４５はリール受穴１８のところでスリップを行う。そのため、受話器本体１１と送話器本体１５の開閉操作が終了する前にレンズバリア４０が開き位置及び閉じ位置への回動が終了してストッパ４２によって回動が規制されてもバリア機構が壊れることはない。
【００１９】
図４は、受話器本体１１と送話器本体１５を使用位置に開いたときの斜視図である。この時、レンズバリア４０に接続されているワイヤ４３はワイヤリール４５には巻き付いていない状態である。そのため、レンズバリア４０はネジリバネ４１の付勢力によって軸４７を中心に時計方向に付勢されている。すると、レンズバリア４０はレンズをレンズ用開口部３５から露呈させる開き位置に回動するとともに、マイクロスイッチ４６の切片４６ａを押圧してマイクロスイッチ４６をオンしている。このマイクロスイッチ４６がオンすることで、カメラ付き携帯電話機２に内蔵されたデジタルカメラの電源がオンとなり撮影操作が可能となる。
【００２０】
受話器本体１１と送話器本体１５とを通話可能な使用位置から不使用位置に折り畳む時には、受話器本体１１がヒンジ部１６を回転軸として回動しながら折り畳まれるため、ワイヤ４３は受話器本体１１の回動に伴ってワイヤリール４５に矢印の方向に巻き付く。そのため、ワイヤ４３はレンズバリア４０のアーム部４０ｂを背面カバー３１の長手方向に沿ってヒンジ部１６側に引っ張るので、図５（Ａ）に示すように、レンズバリア４０は、軸４７を中心に反時計方向に回動してレンズ用開口部３５を塞ぎ、レンズ５０を覆う閉じ位置に回動する。この時、マイクロスイッチ４６の切片４６ａが離れるので内蔵されているデジタルカメラの電源がオフとなる。
【００２１】
再び受話器本体１１と送話器本体１５を通話可能な使用位置に開くと、ワイヤリール４５に巻き付いていたワイヤ４３が解かれる。そのため、レンズバリア４０を背面カバー３１の長手方向に沿ってヒンジ部１６側に引っ張る張力がなくなる。すると、図５（Ｂ）に示すように、レンズバリア４０はネジリバネ４１の付勢力によって開き位置まで回動してマイクロスイッチ４６の切片４６ａを押圧するのでデジタルカメラの電源がオンとなる。なお、受話器本体１１を回動させて使用位置と不使用位置へ開閉操作したが送話器本体１５または、受話器本体１１と送話器本体１５をともに回動させてもよい。
【００２２】
以上、上記構成による作用について説明する。カメラ付き携帯電話機２の携帯時には、受話器本体１１と送話器本体１５を不使用位置に折り畳んだ状態で携帯する。この時、受話器本体１１の背面カバー３１に設けられたレンズバリア４０に接続されたワイヤ４３が、ヒンジ部１６に設けられたワイヤリール４５に巻き付いているためレンズバリア４０は、軸４７を中心に反時計方向に回動してレンズ５０を覆う位置で留まる（図５（Ａ）参照）。そのため、カメラ付き携帯電話機２の携帯及び不使用時には、レンズをほこり、汚れ、傷などから保護することができ、マイクロスイッチ４６によって内蔵されたデジタルカメラの電源もオフとなっているので消費電力を節約できる。
【００２３】
ユーザが通話及び内蔵されたデジタルカメラによって撮影操作を行う場合は、受話器本体１１と送話器本体１５と通話可能な使用位置まで開く。受話器本体１１はヒンジ部１６を回転軸として回動して開くので、ワイヤ４３がワイヤリール４５から解かれヒンジ部１６方向の張力がなくなるので、レンズバリア４０はネジリバネ４１の付勢力によって軸４７を中心に時計方向に回動する。そのため、レンズバリア４０はレンズ用開口部３５からレンズ５０を露呈させる開き位置まで回動してマイクロスイッチ４６の切片４６ａを押圧する。マイクロスイッチ４６がオンになるとカメラ付き携帯電話機２に内蔵されたデジタルカメラの電源がオンとなり、撮影を行うことができる（図５（Ｂ）参照）。
【００２４】
なお、上記実施例では、ヒンジ部１６にワイヤリール４５を設けて、受話器本体１１と送話器本体１５を使用位置と不使用位置への開閉操作に連動させてレンズバリア４０を開き位置と閉じ位置へ自動的に開閉させたが、この他にも機械的にヒンジ部１６にロッドやカムを連結させて受話器本体１１と送話器本体１５の開閉操作に連動させてレンズバリア４０を移動させてもよい。また、ヒンジ部１６にスイッチを設けて、受話器本体１１と送話器本体１５の使用位置と不使用位置とを検出させて、電気的にモーターなどを使用してレンズバリア４０を移動させてもよい。
【００２５】
【発明の効果】
受話器本体と送話器本体とが使用位置と不使用位置とへの移動に連動させて、レンズを保護するレンズバリアを開き位置と閉じ位置に移動させたので撮影時にレンズカバーを開ける煩わしさと撮影終了後にレンズカバーを閉め忘れることを防ぐことができ、確実にレンズを保護することもできる。
【００２６】
また、レンズバリアが開き位置に移動したことを検知して内蔵されているデジタルカメラの電源をオン、オフさせるので消費電力を節約することができる。
【図面の簡単な説明】
【図１】受話器本体と送話器本体が使用位置の時の外観斜視図である。
【図２】受話器本体と送話器本体が不使用位置のときの外観斜視図である。
【図３】レンズバリアとレンズの位置関係を説明する断面図である。
【図４】レンズバリア開閉機構を説明する斜視図である。
【図５】レンズバリアの閉じ位置と開き位置の動作の説明図である。
【符号の説明】
２  カメラ付き携帯電話機
１１  受話器本体
１５  送話器本体
１６  ヒンジ部
３５  レンズ用開口部
４０  レンズバリア
４１  ネジリバネ
４３  ワイヤ
４５  ワイヤリール
【図１】
2004221755.tif 000003
【図２】
2004221755.tif 000004
【図３】
2004221755.tif 000005
【図４】
2004221755.tif 000006
【図５】
2004221755.tif 000007